Podtech/llm-jp-corpus-v4-ja_patent huggingface dataset:
(57)【要約】【課題】体に負荷をかけずに脚腰の運動をするために、横になって脚腰の運動をできるように自在型のキャスターを設けた、キャスター付きの脚腰の運動器具を提供する。【解決手段】体重や引力の負荷をかけずに横になって脚腰を動かすために、足を乗せるだけで脚を動かすには、足を乗せる台と台を動かすキャスターを設ける必要がある。運動器具を左右、前後に動かす時にスムーズな反復運動が出来るように、小さな自在型キャスターを４個設ける。特に４個のキャスターが方向変換時に同時に同じ向きになるように、ナイロン製や合成樹脂製のキャスターを設けたことも特徴である。レールも電気も使用せずに場所も取らず軽量で持ち運びもできるので、低コストでもあり誰でも使用できるのキャスター付き脚腰の運動器具である。【選択図】図１
2017018556.tif 000002
【特許請求の範囲】
【請求項１】
板を組み合わせた運動器具の足乗せ台に、自在型の小型キャスターを設けたことを特徴とするキャスター付きの脚腰の運動器具。
【発明の詳細な説明】
【技術分野】
【０００１】  この発明は体を横になった状態で、体重の負担をかけずに脚腰の運動が出来る運動器具で、キャスターを設けたキャスター付き脚腰の運動器具に関するものである。
【背景技術】
【０００２】従来、体を横になった状態で体に負担をかけずに、脚腰の運動が出来る運動器具で、キャスターを設けて、低コストで誰にでも出来る脚腰の運動器具はなかった。
【従来文献】
【０００３】
【特許文献１】
【発明の概要】
【発明が解決しようとする課題】
【０００４】これは次のような欠点があった。
イ）脚腰の筋力の弱い人は、疲れが出ると体の腰の左右のバランスが悪くなり、腰痛に成り易い。
ロ）膝が痛む時は余り歩く事が出来ないので、運動不足で体調が悪くなる。
ハ）同一姿勢で１日中仕事をした後に、体を動かさないと疲れが蓄積し、脚腰に疲労感  を感じる。
ニ）高齢者は運動する機会が少なく、体を動かさないので体調を崩しやすい。
ホ）電動式の脚腰の部分的な運動器具はあるが、価格的に誰でも購入出来ない。
本発明は、以上のような欠点をなくすためになされたものである。
【課題を解決するための手段】
【０００５】体重をかけずに脚腰の運動をするには、体を横にして脚腰の運動が出来るように板を組み合わせた運動器具の足乗せ台に、自在型のキャスターを設ける。
本発明は以上の構成によるキャスター付き脚腰の運動器具である。
【発明の効果】
【０００６】（イ）体を横になったまま、脚腰に体重の負担をかからない状態で運動出来るので、体力      がない人でも使用出来る。
（ロ  仕事で疲れて帰っても、テレビを見ながら横になって脚腰の運動が出来る。
（ハ）高齢者でも、横になって脚腰の運動が出来るので、体調を崩しにくくなる。
（ニ）組み立て部品も少なく低価格になるので、誰でも購入出来る。
（ホ）このキャスター付き運動器を継続使用する事により、血流がよくなるので脚のだる      さや腰痛になりにくく、腹筋運動も含まれるので腸内活動が活発になり、冷え症や      便秘にも改善効果がある。
【図面の簡単な説明】
【０００７】
【図１】本発明の斜視図である。
【図２】本発明の底部の平面図である。
【図３】本発明の仰向けになって行う、腰のスイング運動の平面図である。
【図４】本発明の仰向けになって行う、脚の開閉運動の平面図である。
【図５】本発明の横向きになって行う、脚の前後運動の側面図である。
【図６】本発明の椅子に座った時に行う膝の曲げ伸ばし運動の側面図である。
【発明を実施するための形態】
【０００８】以下、本発明の実施の形態について説明する。
図１、図２に示すように、下部の足乗せ台（１）、上部の足乗せ台（２）、足乗せ台クッション（５）、側板（３、４）を設け、自在式の小型キャスター（６，７，８、９）４個設ける。下記の仰向けでの運動（イ）（ロ）ではこの運動器具を２台使用する。
本発明は以上の構造である。
本発明を使用する時は
イ）仰向けでの運動でこの運動器具を２台使用し、左右の足首の運動器具の下部の足乗せ    台（１）に足首を乗せ、両脚を閉じた状態で左右に動かして、腰のスイング運動（図    ３）を行う。
ロ）仰向けでの運動でこの運動器具を２台使用し、左右の足首の運動器具の下部の足乗せ    台（１）に足首を乗せ、脚の開閉運動（図４）を行う。
ハ）横向きでの運動でこの運動器具は１台使用とし、片方の足首を運動器具の上部の足乗    せ台クッッション（５）に乗せて、脚の前後運動（図５）を行う。この運動では体の    向きを変えて左右の足を乗せかえて行う。
ニ）椅子に座っての運動ではこの運動器具は１台使用とし、片足を運動器具上部の足乗せ    台クッション（５）に足を乗せ、脚を前後に動かして膝の内側の筋肉の伸縮運動（図    ６）を行う。
【符号の説明】
【０００９】１．下部足乗せ台
２．上部足乗せ台
３．右側板
４．左側板
５．足乗せクッション
６．キャスター１
７．キャスター２
８．キャスター３
９．キャスター４
１０．側板取り付けネジ、上部足乗せ台取り付けネジ
１１．キャスター取り付けネジ
【図１】
2017018556.tif 000003
【図２】
2017018556.tif 000004
【図３】
2017018556.tif 000005
【図４】
2017018556.tif 000006
【図５】
2017018556.tif 000007
【図６】
2017018556.tif 000008
(57)【要約】【課題】家庭用すり鉢で食材を粉状又は練り状にする作業中又は作業後、誤ってすり鉢の傾き、横移動を無くし、すり鉢内に埃が入らないようにするすり鉢収容用具。【解決手段】食材を粉状又は練り状に加工するすり鉢Ｂの中心とすり鉢収容用具Ａの中心が重なりあって作業するため、高台Ｂ２の凹Ｂ３にすり鉢収容用具Ａの底辺Ａ２の中心にある凸Ａ１を入れて重ね合わせて、高台Ｂ２の横滑りを無くし、上方ではすり鉢Ｂの高さは収容用具Ａの高さ迄として隙間Ｃを僅かにしてすり鉢Ｂの傾くのを防ぎ、上下ですり鉢Ｂの横、傾きの動きを封じて作業が出来る様にし、作業後すり鉢収容用具Ａを逆さにして埃防止に使用出来る。【選択図】図２
2017018552.tif 000002
【特許請求の範囲】
【請求項１】
家庭用で食材を手作業で粉状又は練り状に仕上げるすり鉢を収容する用具であって、
すり鉢をすり粉木で上から食材を押し潰す作業で誤って傾ける事が発生しないようにするため、収容用具の内部の高さはすり鉢と同じにして、収容用具からすり鉢の出し入れは収容用具の上方からとし、上方ではすり鉢の口縁の直径よりわずかに大きな正方形の枠で囲んですり鉢の傾くのを防ぎ、下方では収容用具の底辺の中心にすり鉢の高台の中心が位置して重なった状態となることを特徴とするすり鉢収容用具。
【請求項２】
家庭用で食材を手作業で粉状又は練り状に仕上げるすり鉢を収容する用具であって、
請求項１の下方では収容用具の底辺の中心にすり鉢の高台の中心を位置させる方法は、収容用具の底辺の中心にすり鉢の天口の凹に入る凸を設け、凸に天口の凹を入れてすり鉢の横移動を無くし、すり鉢の底面積が収容用具の底面積に広げられる状態になる事を特徴とするすり鉢収容用具。
【請求項３】
家庭用で食材を手作業で粉状又は練り状に仕上げるすり鉢を収容する用具であって、
請求項２ですり鉢の天口に凹が無い場合は天口を収容出来る角材で正方形の枠を作り、収容用具の底辺の中心に設けて天口を入れ、すり鉢の横移動を無くすことを特徴とするすり鉢収容用具。
【請求項４】
家庭用で食材を手作業で粉状又は練り状に仕上げるすり鉢を収容する用具であって、
請求項１、２、３ですり鉢の作業中、傾く事故の発生が少なくなる事は、子供に安心して作業を依頼出来ることを意味し、粉、練り料理への興味が生まれる事を特徴とするすり鉢収容用具。
【請求項５】
家庭用で食材を手作業で粉状又は練り状に仕上げるすり鉢を収容する用具であって、
請求項１のすり鉢に鉢収容用具を蓋としてかぶせ、内部に埃の侵入を防いで一定期間衛生的に保つ事を特徴とするすり鉢収容用具。
【発明の詳細な説明】
【技術分野】
【０００１】  本発明は家庭用すり鉢の万一の傾き、横移動を無くすことに関することである。
【背景技術】
【０００２】  家庭用の手作業によりすり鉢の形状は、上部の口縁は円形で広く、下部の高台は口縁より狭い円形で全体を支える形状になっていて、作業中又は作業終了後、不注意により傾き又は横移動の事故発生が考えられる。
【発明の開示】
【発明が解決しようとする課題】
【０００３】  家庭用の手作業のすり鉢の主な目的は食材を粉状又は練り状にすることであり、作業中傾けたりした場合の後処理は食材の性質上手間が掛かり過ぎることであり、対策として作業中又は作業終了後何かの事故で傾き、横移動が発生しないようにすることである。【０００４】  すり鉢で作業中又は終了後、一定時間そのままにしておく場合は埃等が入らないようにすることである。
【課題を解決するための手段】
【０００５】  家庭用の手作業のすり鉢は、上部の口縁は円形で広く、下部の高台は口縁より狭い円形で全体を支える形状であるため、収容用具に収容して作業中傾むかないよう口縁の高さは収容用具と同じにし、口縁収容用具との隙間を僅かにしてすり鉢が傾かないようにすることを特徴としている。【０００６】  収容用具内でのすり鉢の高台の横移動を無くし常時高台を収容用具の底辺の中心に位置させるため、底辺の中心に凸を設け高台の凹に入れて常時重ね合わせた状態にしてすり鉢の横移動が無くなる事を特徴としている。【０００７】  すり鉢で高台に凹の無い場合があり、この場合は高台を収容出来る正方形の枠を作り収容用具の底辺の中心に設けて高台を入れ高台の横移動を無くすことを特徴としている。【０００８】  すり鉢内部に埃の侵入を防ぐ為、一定期間収容用具を蓋として使用することを特徴としている。
【発明効果】
【０００９】  すり鉢で力を込めた粉、練り状の作業ですり鉢の傾き、横移動が無いので子供に委託し食への興味が生まれることが期待される。
【００１０】  最近の食材の粉、練り加工で電力による加工が多くなりつつあるが、目と手で確認して作り上げる喜びと今まで出し汁として使用後捨てていた食材を再活用する方法が生まれることが期待される。
【００１１】  すり鉢販売先は収容用具と一緒にお客様に展示することにより会話が生まれ陶器関係に良い結果が生まれることが期待される。
【発明を実施するための形態】
【００１２】  以下、添付の図面に基づいて本発明の実施例を説明する。
【００１３】  図１はすり鉢収容用具Ａの中心を縦に切断した場合の側面図で底辺の中心に凸Ａ１を備え、上方Ａ４と底辺Ａ２は同面積であることを特徴としている。
【００１４】  図２はすり鉢収容用具Ａにすり鉢Ｂを収容して中央を切断した場合の側面図ですり鉢Ｂの高さはすり鉢収容用具Ａの高さ迄とし、収容用具Ａとすり鉢Ｂの口縁Ｂ１との隙間Ｃは僅かとし、すり鉢Ｂが斜めに傾くのを収容用具Ｂの側面Ａ３が防ぐ役割を持つ。
【００１５】  収容用具Ａとすり鉢Ｂの口縁Ｂ１との隙間Ｃが僅かで無い場合は、口縁Ｂ１に近い側面Ａ３に木片等を取り付けて隙間Ｃを僅かにして、すり鉢Ｂが傾くのを防ぐ。
【００１６】  図２の底辺Ａ２の中心に位置する凸Ａ１は高台Ｂ２の凹Ｂ３に入るサイズで高台Ｂ２の凹Ｂ３に入れることにより高台Ｂ２の横滑りが無くなり、口縁Ｂ１の傾き防止と高台Ｂ２の横滑り防止ですり鉢Ｂの作業が安全に行われる。
【００１７】  図３はすり鉢Ｂの高台Ｂ２で凹Ａ１が無い場合があり、この場合は高台Ｂ２を収容する為角材で正方形の枠Ｄを作り、すり鉢収容用具Ａの底辺Ａ２の中心に設け高台Ｂ２を収容して横滑りを防止する。
【００１８】  図１ですり鉢収容用具Ａを逆さにして蓋として使用し、すり鉢Ｂの埃予防、横倒れ予防に使用出来る。
【図面の簡単な説明】
【００１９】
【図１】すり鉢収容用具の中心を切断した場合の側面図。
【図２】すり鉢収容用具にすり鉢を収容し中心を切断した場合の側面図。
【図３】すり鉢の高台に凹が無い場合、高台を収容する正方形の枠を底辺に設けた上面図。
【符号の説明】
【００２０】Ａ    すり鉢収容用具
Ａ１  凸
Ａ２  底面
Ａ３  側面
Ａ４  上方
Ｂ    すり鉢
Ｂ１  口縁
Ｂ２  高台
Ｂ３  高台の凹
Ｃ    隙間
Ｄ    正方形の枠
【図１】
2017018552.tif 000003
【図２】
2017018552.tif 000004
【図３】
2017018552.tif 000005
(57)【要約】      （修正有）【課題】絵やカードや写真を入れて鑑賞するための額には、色々な形のものがあるが、大別して１、壁掛型２、卓上型３、携帯型がある。これら各種類のものを共通な材料、部品、方法で製作可能にする。【解決手段】軟質の透明プラスチック長方形シートで、その一部分をポケット状とし、その中に絵や写真のカードを挿入できるようにする。全体が軟弱すぎて額としては不適当であるため、このサポーターＳＰ−１を支えるための厚手の紙から成るサポーターＳＰ−２によって△形の筒を用意し、その２ヶ所の斜辺にサポーターＮｏ．１の裏側を接着し、ＳＰ−１のポケットが外側にくるようにする。これを壁掛型や携帯型にするためには、△筒の底辺の中央で全体を２つ折りする必要がある。そのために厚紙長方形のサポーターＳＰ−３を底板としてＳＰ−２の底の内側に接着して、△筒の底を水平及び山形の２つ折りへの切替が可能なようにする。【選択図】図５
2017018553.tif 000002
【特許請求の範囲】
【請求項１】
絵や写真を入れる額に於いて、各種の形態に分かれるタイプがあるが、それらに共通する要素を３つに分類し、それをサポーターＮｏ．１（ＳＰ−１）、サポーターＮｏ．２（ＳＰ−２）及びサポーターＮｏ．３（ＳＰ−３）とし、ＳＰ−１は透明なプラスチックシートで絵を入れるためのポケット付きとし、このＳＰ−１を支えるための縦長の厚紙用紙で４本の折り筋によって全体を５区画に分割し、その区画の両端を重ね合わせて接着し、折り筋を折ることによって、三角筒（△筒）とし、その比較的面積の大きい２つの斜面上にＳＰ−１をのせて接着することによってＳＰ−１を支えるためのＳＰ−２とし、この△筒の底面に相当する部分に、これと同様な厚紙ＳＰ−３を部分的に接着し、底面を↑及び↓方向に上下する切替を可能とし、全体を△形及び２つ折りに切替できるようにし、かさばらない２つ折り携帯用額と所定の部分に吊りひもをつけて壁掛型額とし、かつ２つ折りされない△型の卓上用額を含む三者の額を成形可能とすることを特徴とする、３サポーター式額。
【発明の詳細な説明】
【技術分野】
【０００１】本発明は、絵や写真を入れて鑑賞するための額に関するものである。
【背景技術】
【０００２】従来の額は壁にかけるのが主で、一部では卓上における卓上型がある。通常、額の中に入れられる絵は、普通は１枚である。
また、そのままの形では卓上型や携帯型には利用できない。
【発明が解決しようとする課題】
【０００３】このような額の欠点を解決しようとするのが、本発明の課題である。
【課題を解決する手段】
【０００４】本発明に於いては、上記のように額の用途が変わっても、これを構成する部品、要素、手段を共通なものとし、これらを組み合わせることによって、異なる用途のもの、例えば壁掛型、携帯型や卓上型を簡単に製造しようとするものである。
【発明の効果】
【０００５】従来品と比べ、次の効果を持つ。
１、カードを入れるポケットが２つあるので、同時にそれぞれ２枚以上のカードを入れることが出来る。
２、吊しひもによって、壁にかけることが出来る。
３、山型に２つ折りにでき、しかもかさばらないので、上着のポケットに入れて携帯出来る。
４、同時に簡単な切替によって、卓上型にもなる。
【発明を実施するための最良の形態】
【実施例】
【０００６】図１、図２、図３、図４、図５、図６
図１は、本発明に於ける複数枚の絵ハガキ・・・のカードを入れることのできる長方形で、１個のポケットＰ．Ｋを備えた透明プラスチック・シートであって、カードを保持するためのサポーターＮｏ．１（ＳＰ−１）の正面図である。
ただこれだけでは軟弱すぎるので、図２ではＳＰ−１をしっかり保持するための長方形横長の厚紙２を折り筋２−１、２−２、２−３及び２−４によって全体を５つの区画３−１、３−２、３−３、３−４及び３−５に分割し３−１、３−２及び３−５は小区画３−３と３−４は大区画とし、図３のようにこれを△筒型に折って、その大きな斜辺３−３または３−４を２つのサポーターＳＰ−１の裏側に重ならせて接着することによって、サポーターＳＰ−１を保持するためのサポーターＳＰ−２とする。次に図４のようにＳＰ−２の小区画３−１の内側に同様の厚紙ＳＰ−３を接着する。
折り筋２−１によって全体を↑方向に折れば、△筒は山形となってかさばらずに２つ折りされ、これを上着のポケットに入れて携帯できる。
次に、図５はＳＰ−２をＳＰ−１の裏側に接着した図で、このときＳＰ−１のポケットＰＫ−１及びＰＫ−２は外側となって、その中にカードを入れることが出来て、△形卓上額とすることができる。
次に図２のように、サポーターＳＰ−２の△形の頂点に２ケの小孔Ｈ１、Ｈ２をうがって、その中に図６のようにひもをリング状に通し、上部で結ぶことによって、全体を壁に吊るすことが可能な壁掛型額が得られる。
【図面の簡単な説明】
【０００７】
【図１】  本発明に於ける長方形で１つのポケットを備えた透明プラスチックシートサポーターＮｏ．１（ＳＰ−１）の正面図
【図２】  本発明に於ける厚紙から成りＳＰ−１を支えるためのサポーターＮｏ．２（ＳＰ−２）の正面図
【図３】  本発明に於けるＳＰ−２を△形に組立てたものの側面図
【図４】  本発明に於けるＳＰ−２の底面内側に接着された厚紙長方形のサポーターＳＰ−３を示す側面図
【図５】  本発明に於けるサポーターＳＰ−１、ＳＰ−２及びＳＰ−３を組合せることによって得られる卓上用額の側面図
【図６】  本発明に於いて全体を山形に２つ折りしてポケットにカードを入れた吊りひも付き壁掛用額の正面図
【符号の説明】
【０００８】１、  ＳＰ−１（サポーターＮｏ．１）透明な長方形のプラスチックシートでその一部に      ポケットを持つもの
2017018553.tif 000003
長方形の厚紙で５区画に分割されていて△に成形されるもの
３、  ２−１、２−２、２−３、２−４：ＳＰ−２に施された折り筋
４、  ３−１、３−２、３−３、３−４、３−５：ＳＰ−２に於いて折り筋によって分割      された区画
５、  Ｈ１、Ｈ２：ＳＰ−２の３−３、３−４の所定の位置に施された小孔
６、  ＳＰ−３：ＳＰ−２の区画３−１の内側に接着された厚紙で、ＳＰ−２を△形に保      持するための補助的底板
７、  Ｓ：上記５の小孔Ｈ１、Ｈ２に通される壁掛用吊りひも
８、  ＣＤ：カード
【図１】
2017018553.tif 000004
【図２】
2017018553.tif 000005
【図３】
2017018553.tif 000006
【図４】
2017018553.tif 000007
【図５】
2017018553.tif 000008
【図６】
2017018553.tif 000009
(57)【要約】【課題】花葉を生けるための固定具には、剣山・花立具・オアシス等が一般的でありそれらは素材や形状が目に見える、存在感のある用具で花葉は花器に生けられている。【解決手段】透明の板を使用することで、水に浸かると水と同化して透明になる透明剣山は存在感がなく、その剣山を配置する花器は花葉だけが水に立っているように生けることができる透明剣山付き花器である。【選択図】図１
2017018551.tif 000002
【特許請求の範囲】
【請求項１】
透明の板（例：ガラス・アクリル等）に花葉の茎を挿しこむ複数の任意の大きさの孔を開けた透明剣山。その透明剣山を水平に保ち花葉を固定させる位置に配置するための係止部凹凸を設け、底部には茎を固定させるために任意の角度をつけた窪みのある花器をセットにした透明剣山付き花器。
【発明の詳細な説明】
【技術分野】
【０００１】  この発明は、水に浸かると水と同化して透明になる透明剣山とその剣山を配置し、花葉だけが花器の水に立っているように生けられる花器の形状に関する。【０００２】  従来より、花葉を生けるための固定具には、針に突き挿す剣山や筒形状の花立具に挿入したりオアシスを使用するのが一般的であるが、その素材や形状は目に視える用具であり、花葉はそれら存在感のある用具によって花器の内に生けられている。
透明剣山と花器をセットにすることで、花器に水を入れると剣山が水と同化して透明になることで存在感がなくなり、花葉だけが花器の水に立っているように生けられる花器がなかった。
【先行技術文献】
【特許文献】
【０００３】
【特許文献１】特開２００８−０５４９５９（Ｐ２００８−０５４９５９Ａ）号公報
【特許文献２】特開２０１０−２６８９３２（Ｐ２０１０−２６８９３２Ａ）号公報
【発明の概要】
【発明が解決しようとする課題】
【０００４】  特許文献１では、各面に任意の穴をあけた略コ字型の板状の外器に、水受け用の内器を配置して花器となるが、剣山としての素材と形状は目に視えて存在する。
特許文献２では、光を透過できる透明な線条部材を絡み合わせた、立体的網目の花留めであるが、立体構造であるため花留めより低い花器や低い位置で使用すると素材と形状は露出してしまう。
そこでこの発明は、透明剣山を配置した花器に水を入れると剣山の素材や形状が水と同化して透明になることで存在感がなくなり、花葉だけが花器の水に立っているように生けられる、透明剣山付き花器を考案したものである。【０００５】  以上の課題を解決するために、第一発明は、透明の板（例：ガラス・アクリル等）に花葉の茎を挿しこむ複数の任意の大きさの孔を開けたことを特徴とする透明剣山。
その透明剣山を水平に保ち花葉を固定させる位置に配置するための係止部凹凸を設け、底部には茎を固定させるために任意の角度をつけた窪みのある花器をセットにした透明剣山付き花器。
【発明の効果】
【０００６】  花器に配置した透明剣山の位置まで水を入れると、水平に保たれた透明剣山が水と同化して透明になることで存在感がなくなり、花葉だけが花器の水に立っているように生けることができる美観のある透明剣山付き花器である。
【図面の簡単な説明】
【０００７】
【図１】この発明の一実施形態を示す斜視図である。
【図２】この発明の他の実施形態を示す斜視図である。
【図３】この発明の他の実施形態を示す斜視図である。
【図４】この発明の図１・図２・図３の花葉を生けた実施形態を示す斜視図である。
【発明を実施するための形態】
【０００８】  この発明の一実施形態を、図１に示す。
図１は本発明の透明剣山付き花器（Ａ）、透明剣山（Ｂ）、花器（Ｃ）の斜視図である。
（１）は本発明の全体図。水に浸かると水と同化し花葉を生けるための支持盤となる透明の板（２）に、大きさの違う花葉の茎を挿しこむための任意の大きさの複数の孔（３ａ・３ｂ・３ｃ・３ｄ・３ｅ・・・・・）を開けることで花葉が花器（４）の中心に立ち固定させることができる透明剣山（Ｂ）。
透明剣山を水平に保ち花葉を挿し易くする位置に配置するための係止部凹凸（５）をを設け、底部には茎を固定させるため任意の角度をつけた窪み（６）のある花器（Ｃ）をセットにしたことを特徴とする、透明剣山付き花器（Ａ）。
【０００９】「実施形態の効果」
一般的に花葉は、目に視える存在感のある剣山によって花器に生けられているが、透明剣山付き花器（１）であれば、透明の板（２）を係止部凹凸（５）に配置した花器（４）に水を入れると透明の板（２）が水と同じ透明度になることで存在感がなくなり、大・小の孔（３ａ・３ｂ・３ｃ・３ｄ・３ｅ・・・・・）が花葉を固定させる透明剣山と、花器（４）の底部の窪み（６）が茎を固定させる花器（４）の中心で、花葉だけが水に立っているように生けることができる。
「他の実施形態」
図１の実施形態では、透明の板（２）は円形の五孔（３）、花器（４）は皿状で係止部凹（５）、底部は円形の窪み（６）であるが他の実施形態では、図２のように透明の板（２）は四角の四孔（３）、花器（４）は鉢状で係止部凸（５）、底部は四角の窪み（６）でも良く、図３のように透明の板（２）の大きさと孔（３）の数、花器（４）の係止部凹凸（５）、底部の窪み（６）の形状は花器（４）のデザインに合わせても良い。
また、他の容器や器でも透明剣山が使用できれば透明剣山付き花器として扱うことができる。
【符号の説明】
【００１０】１  透明剣山付き花器
２  透明の板
３  孔（３ａ・３ｂ・３ｃ・３ｄ・３ｅ・・・・・）
４  花器
５  係止部凹凸
６  窪み
【図１】
2017018551.tif 000003
【図２】
2017018551.tif 000004
【図３】
2017018551.tif 000005
【図４】
2017018551.tif 000006
(57)【要約】      （修正有）【課題】コーヒー等の飲料用コップに飲み口が設けられた蓋を被せ、その飲み口よりコーヒ、紅茶、スープなど熱い飲料を飲む際に口に飲料の熱がが伝わり、長く口をつけていられないため、飲料を飲む際の量調節がしにくい、あるいは単に熱いという問題があるので、これを解決する。【解決手段】飲料の熱を口に伝わりにくくするため、コップ蓋２の飲み口６環状凸部斜面又は環状凸部斜面及び飲み口穴部周囲を、断熱処理を施した紙製のカバーで覆い、口の一部あるいは全部が直接コップ蓋に接触しないようにした蓋の断熱カバー１。【選択図】図２
2017018555.tif 000002
【特許請求の範囲】
【請求項１】
エンボス加工など、断熱処理を施した円弧形状の紙を、接着により円錐筒に成形し、コップ蓋の環状凸部斜面に沿うように被せ、飲料を蓋飲み口から飲む際の口と蓋との接触部の断熱を目的とする蓋の断熱カバー。
【請求項２】
請求項１記載のカバーにおいて、さらに蓋の一部に設けられた飲み口穴周囲の断熱を目的とし、飲み口穴の大きさと同等以上の穴を有した張り出し部を設け、それを折り返し構造とした蓋の断熱カバー。
【請求項３】
請求項１記載のカバーにおいて、さらに蓋の一部に設けられた飲み口穴周囲の断熱を目的とし、飲み口穴の大きさと同等以上の穴を有した張り出し部を設け、その張り出し部は、蓋の環状凸部及び飲み口穴部形状に合わせて成形された蓋の断熱カバー
【請求項４】
請求項１、２、３のカバーにおいて、折りたたむ構造を有する蓋の断熱カバー。
【発明の詳細な説明】
【技術分野】
【０００１】  本発明は、コーヒー等の飲料用コップに使用する飲み口が設けられた蓋の飲み口部断熱カバーに関する。
【背景技術】
【０００２】  従来から、紙コップや樹脂成形コップ等の飲料用コップに内容物を入れた状態で持ち運ぶ際、コップの内容物が外部にこぼれないようにコップに蓋を被せることが行われている。この蓋は、「ＬＩＤ（リッド）」と呼ばれる合成樹脂製の成形蓋として、図８のようなものが周知である。【０００３】  また、このような蓋付きのコップにおいては、蓋の一部に飲み口用の穴を設け、コップに蓋を被せた状態で飲み口に口をつけて飲めるようにしたものが知られている。【０００４】  さらに、図９のように飲み口用の穴部に蓋を設け、飲み口穴を開閉できるようにしたものも知られている。【０００５】  しかしながら、この飲み口よりホットコーヒなど熱い飲料を飲む際、口に飲料の熱が伝わり、長く口をつけていられない、あるいは単に口が熱いという問題があった。
【発明の開示】
【発明が解決しようとする課題】
【０００６】  本発明は、上記の事情に鑑みてなされたものであり、コップ蓋の飲み口からホットコーヒーなど熱い飲み物を飲む際に、熱さを感じず、快適に飲めるコップ蓋の断熱カバーを提供することを目的とする。
【課題を解決するための手段】
【０００７】  本発明はコップ蓋に被せて使用するための円錐筒及びそれに類似する形状の断熱カバーであって、カバーはエンボス加工など断熱処理が施された紙からなるカバーである。
【発明の効果】
【０００８】  本発明の断熱カバーにより、蓋の飲み口から熱い飲料を飲む際に、飲料の熱さを苦にすることなく、快適に飲むことが出来る。【０００９】  また、カバーを折りたたむ構造とした場合は、嵩張らないので、カバーを収納するペースが少しですむ利点がある。【００１０】  また、本発明のカバーは、蓋から容易に取り外すことができるので、廃棄の際のゴミ分別もしやすい。
【図面の簡単な説明】
【００１１】
【図１】  本発明の第１実施形態の断熱カバーの図で、（ａ）が円弧状の平面図、（ｂ）が（ａ）を円錐筒に成形した斜視図である。
【図２】  同実施形態の断熱カバーをコップ蓋に被せた状態の斜視図である。
【図３】  本発明の第２実施形態の断熱カバーの斜視図である。
【図４】  同実施形態の折り返した状態の斜視図である。
【図５】  同実施形態の断熱カバーをコップ蓋に被せた状態の斜視図である。
【図６】  本発明の第３実施形態の断熱カバーの斜視図である。
【図７】  本発明のカバーを折りたたんだ状態の平面図で、（ａ）が第１実施形態、（ｂ）が第２実施形態の図である。
【図８】  一般的な飲み口のついた蓋の平面図である。
【図９】  一般的な飲み口のついた蓋をコップに被せた状態の斜視図である。
【発明を実施するための形態】
【００１２】  以下、本発明の実施の形態を図を参照しながら説明する。
【実施例】
【００１３】  図１、図３、図６に示す断熱カバーは、図２、図５に示すようにコップ蓋に被せられ、飲料を飲み口から飲む際に口に伝わる熱を断熱する。【００１４】  断熱カバーは紙製で、エンボス加工などの断熱処理が施されており、第１実施形態として円弧形状のものを、蓋の環状凸部斜面の形状に合わせ、図１（ｂ）及び図７（ａ）に示すように円錐筒に成形する。【００１５】  第２実施形態として、蓋の一部に設けられた飲み口穴部周囲をカバーするために、図３に示すように、飲み口穴の大きさと同等以上の穴を有した張り出し部を設け、それを図４に示すように蓋の環状凸部に合わせるように折り返す。【００１６】  第３実施形態として、飲み口部カバー形状を図６のようにあらかじめ蓋の環状凸部及び飲み口穴部の形状に合わせ成形する。【００１７】  第２実施形態、第３実施形態とも飲み口穴に蓋がある場合は、飲み口穴の蓋を開けた状態で本発明の断熱カバーが被せられるような形状とする。【００１８】  いずれの実施形態においても、図７のようにカバーは折りたたむ構造も可能である。折りたたむ位置は円錐上のどの位置でも良く、限定はしない。
【産業上の利用可能性】
【００１９】  本発明の飲料用コップ蓋の飲み口断熱カバーは、ホットコーヒーなどの熱い飲料を、蓋の飲み口から飲む場合の断熱カバーとして利用可能である。
【符号の説明】
【００２０】１  断熱カバー
２  蓋
３  飲料用コップ
４  蓋環状凸部
５  蓋環状凸部斜面
６  飲み口
７  飲み口穴
８  飲み口穴用蓋
９  張り出し部
１０  張り出し部穴
１１  折り返し部
【図１】
2017018555.tif 000003
【図２】
2017018555.tif 000004
【図３】
2017018555.tif 000005
【図４】
2017018555.tif 000006
【図５】
2017018555.tif 000007
【図６】
2017018555.tif 000008
【図７】
2017018555.tif 000009
【図８】
2017018555.tif 000010
【図９】
2017018555.tif 000011
(57)【要約】【課題】オムツ使用時ゆるい便や尿の背中漏れを防ぐことができるオムツ補助具を得ること。【解決手段】オムツ使用時、背中からゆるい便や尿が漏れることを防止するため、オムツと同じ吸水性のある素材を使用し、それを細長い筒状に丸めたパッドをオムツの腰の部分に両面テープにて装着する。【選択図】図４
2017018549.tif 000002
【特許請求の範囲】
【請求項１】
オムツと同じ吸水性のある素材である吸水パッドを使用し、それを直径１ｃｍから直径３ｃｍ、長さ１５ｃｍから２５ｃｍの細長い筒状に丸めた形状で中が空洞になっていること、また、両面テープが付いていてオムツに装着することができることを特徴とするうんち漏れ防止パッド。
【発明の詳細な説明】
【技術分野】
【０００１】  この発明は、赤ちゃん又はオムツ着用者がオムツ使用時にゆるい便や大量の便をしたとき、便がオムツに収まらず背中から漏れ、衣類を汚すことを防止することに関する。
【背景技術】
【０００２】  赤ちゃんはもともと便がゆるい。特に離乳食を始めた赤ちゃんは便がかなりゆるくなり、離乳食を始めてからの３〜４ヶ月は毎日ゆるい便が続く。また、赤ちゃんやオムツ着用者が胃腸炎などで下痢をすることもある。従来のオムツは着用時にゆるい便や大量の便をしたときに、背中とオムツの隙間から便が漏れてしまっていた。
【発明が解決しようとする課題】
【０００３】  背中から漏れた便で着用している洋服を汚してしまうことも多々あった。そのたびに洋服を着替え背中から漏れたゆるい便の後始末をするのが保育者、または介護者にとって大変な作業となっていた。この発明は以上のような欠点をなくすためになされたものである。
【発明を解決するための手段】
【０００４】  オムツと同じ吸水性のある素材である吸水パッドを使用し、それを直径１ｃｍから直径３ｃｍ、長さ１５ｃｍから２５ｃｍの細長い筒状に丸めた形状でオムツの腰の部分に両面テープにて装着し使用する。この発明は使い捨てであり、オムツを替えるときに新しい筒状の吸水パッドを取り付けて使用する。
【発明の効果】
【０００５】  筒状の吸水パッドがオムツと背中の隙間を埋めてくれるため、背中からのゆるい便や大量の便のストッパーとなり、オムツからの便の背中漏れを防ぐことができる。また、筒状の形態にすることにより、仰向けに寝た状態では筒が潰れ腰に当たる吸水パッドに違和感なく使用することができる。そして、筒状の形態にすることにより、高さが生まれ、より背中漏れを防ぐことができる。
【発明を実施するための最良の形態】
【０００６】  以下、添付図面を参照して本発明の実施の形態について説明する。
本発明は［図１］で示したように、吸水性のあるオムツと同じ素材をオムツのサイズに合わせ直径１ｃｍから直径３ｃｍ、長さ１５ｃｍから２５ｃｍの筒状に丸めた形状であり、［図２］で示したように、オムツに固定するために両面テープ２を付ける。【０００７】  本発明の断面図は［図３］で示したように、筒状にした内部を空洞１にする。仰向けで寝た状態では筒状に丸めた形状が潰れ、腰に違和感がない設計になっている。【０００８】  本発明は［図４］で示したように、紙オムツ３の腰にあたる部分に両面テープ［図２］２で装着して使用する。本発明は紙オムツ同様、使い捨てで使用する。
【図面の簡単な説明】
【０００９】
【図１】本発明のうんち背中漏れ防止パッド正面図。
【図２】本発明のうんち背中漏れ防止パッド裏面図。
【図３】本発明のうんち背中漏れ防止パッド断面図。
【図４】本発明のうんち背中漏れ防止パッドをオムツに装着した状態を示す図。
【符号の説明】
【００１０】１  空洞
２  両面テープ
３  紙オムツ
【図１】
2017018549.tif 000003
【図２】
2017018549.tif 000004
【図３】
2017018549.tif 000005
【図４】
2017018549.tif 000006
(57)【要約】【課題】キャッチャーの頸椎への負担を大きく軽減するためにショックアブソーバ機能付きキャッチャーマスク及びキャッチャーヘルメットを提供する【解決手段】マスクフレーム１を固定することなく、フレーム枠３の突起部５に係止させ、その間にスプリングを介在させることでキャッチャーの頸椎への負担を大きく軽減させる様にする。【選択図】図１
2017018541.tif 000002
【特許請求の範囲】
【請求項１】
キャッチャーマスクのマスクフレームをフレーム枠に固定することなく、フレーム枠に係止して、その間にスプリングを介在させてなるものである。
【請求項２】
キャッチャーマスクのマスクフレームをフレーム枠に固定することなく、フレーム枠に係止して、その間にゴムを介在させてなるものである。
【請求項３】
キャッチャーマスクのマスクフレームをフレーム枠に固定することなく、フレーム枠に係止して、その間に樹脂を介在させてなるものである。
【請求項４】
マスクフレームをヘルメット本体に固定することなく、ヘルメットに係止してその間にスプリングを介在させてなるものである。
【請求項５】
マスクフレームをヘルメット本体に固定することなく、ヘルメットに係止してその間にゴムを介在させてなるものである。
【請求項６】
マスクフレームをヘルメット本体に固定することなく、ヘルメットに係止してその間に樹脂を介在させてなるものである。
【発明の詳細な説明】
【技術分野】
【０００１】本発明は野球等球技に用いるキャッチャーマスクでショックアブソーバ機能を設けることで、キャッチャーの頸椎への負担を大きく軽減することが出来るキャッチャーマスク改良に関するものである
【背景技術】
【０００２】従来はマスクフレームを直接クッション材等に固定して使用していた
【先行技術文献】
【特許文献】
【０００３】
【発明の概要】
【発明が解決しようとする課題】
【０００４】従来のキャッチャーマスクは、マスクフレームをクッションに固定して顔面に装着されていた。
この時、打者のファールチップがボールの勢いを増してキャッチャーマスクに当たっていた。
その衝撃はキャッチャーの頸椎を傷める大きな原因となっていた。
本発明は、この課題を解消するためになされものである。
【課題を解決するための手段】
【０００５】マスクフレーム１をフレーム枠３の突起部５に係止して、その間にスプリング４を介在させることにより、強い衝撃のボールが当たった時にスプリング４に衝撃を吸収させることでその衝撃を大きく軽減させる様にした。
【発明の効果】
【０００６】マスクフレーム１を固定することなく、フレーム枠３に係止してスプリング４を介在させたことで、ボールの強い衝撃を大きく軽減させるため、キャッチャーの頸椎への負担も限りなく軽減させることができる。
【図面の簡単な説明】
【０００７】
【図１】本発明の側面図である。
【図２】本発明の係止部の拡大断面図である。
【発明を実施するための形態】
【０００８】以下、本発明の実施形態について説明する。
キャッチャーマスクのマスクフレーム１を固定することなく、フレーム枠３の突起部５にスプリング４を介在させて係止する。
【符号の説明】
【０００９】１  マスクフレーム
２  顔面パッド
３  フレーム枠
４  スプリング
５  突起部
６  フレーム枠固定バンド
７  フレーム枠固定バンド
【図１】
2017018541.tif 000003
【図２】
2017018541.tif 000004
(57)【要約】【課題】従来、クールヒズ対応でネクタイを外したワイシャツは、襟が大きく開いてだらしなく見えた。本発明は、シャツのボタンの括り糸に取り外しが簡単で、襟近くを軽く押える飾り版を提供する。【解決手段】中空の飾り版の裏側にボタンを通す穴とボタンの括り糸を挟める溝とシャツを挟めるクリップを設ける。シャツのボタンをボタン通し穴に差し込み飾り版を下に押し下げてボタン括り糸をボタン括り糸を挟む溝に挟み込みシャツをクリップに挟む込む事で飾り版がシャツの襟近くを軽く押える事が出来る。【選択図】図１
2017018545.tif 000002
【特許請求の範囲】
【請求項１】
中空の飾り版の裏側にボタンを通す穴とボタン括り糸を挟める溝とを設けたもの。
【発明の詳細な説明】
【技術分野】
【０００１】本発明は、シャツの襟近くを緩く押える装飾品に関するものである。
【背景技術】
【０００２】従来、クールヒズ対応でネクタイを外したワイシャツは襟が開いてだらしなく見えた。
【発明の概要】
【発明が解決しようとする課題】
【０００３】従来、クールヒズ対応でネクタイを外したワイシャツは襟が開いてだらしなく見えた。
本発明は、以上の問題点を解決するためになされたものである。
【問題を解決するための手段】
【０００４】中が空洞の飾り版（１）の裏側にボタン通し穴（２）とボタン括り糸（６）を挟む溝（３）とシャツを挟むクリップ（４）を設ける。
【発明の効果】
【０００５】本発明の飾り版は、シャツのボタン括り糸に簡単に取り外しが出来、飾り版がシャツの襟近くを軽く抑えることで襟元のクールヒズを確保したうえで襟元を飾りきちっとした身なりにするものである。
【図面の簡単な説明】
【０００６】
【図１】本発明の表面の平面図
【図２】本発明の裏側の斜視図
【図３】本発明の側面カット図
【図４】本発明の使用状況の図
【図５】本発明の飾り版内側からの使用状況の平面図
【図６】本発明の飾り版内側からのボタン通し使用状況の平面図
【発明を実施するための形態】
【０００７】  以下、本発明の実施の形態を説明する。
（い）  中空の飾り版（１）の裏側にボタン通し穴（２）とボタン括り糸を挟む溝（３）        とクリップ（４）を設ける。
本発明は以上のような構造である。
本発明を使用するときは、シャツのボタン（５）をボタン通し穴（２）に通し飾        り版を押し下げる事でボタン括り糸（６）をボタン括り糸を挟める溝（３）に挟        める、シャツ（７）をクリップ（４）に挟み込む。
シャツ（７）から飾り版を（１）を外すときは、飾り版（１）を押し上げ、ボタ        ン括り糸（３）をボタン括り糸を挟める溝（３）から外しボタン（５）をボタン        通し穴（２）から引き抜き同時にシャツ（７）をクリップ（４）から引き抜く。
【符号の説明】
【０００８】１飾り版、２ボタン通し穴、３ボタン括り糸を挟める溝、４クリップ、５ボタン、
６ボタン括り糸、７シャツ、
【図１】
2017018545.tif 000003
【図２】
2017018545.tif 000004
【図３】
2017018545.tif 000005
【図４】
2017018545.tif 000006
【図５】
2017018545.tif 000007
【図６】
2017018545.tif 000008
(57)【要約】【課題】青菜等軸の硬い菜っ葉類を茹でる際、太く硬い軸部分は柔らかい葉の部分より長く茹でる必要が有る、その茹でる時間差を簡単に調節できるようにした、青菜の茹で用具を提供する。【解決手段】本体後方外側に取り付けた爪を、鍋の深さに会わせ上下に動かす事により、本体を後方斜めにした状態で設置、それにより青菜が前方に倒れないよう斜めに立てることができ、軸部が茹であがったのを確認後、持ち手を前方向に倒すことで青菜全体を鍋内に落とす事ができ、それにより青菜等の全体を上下の時間差で茹でることを可能にした青菜の軸調理器具。【選択図】図１
2017018544.tif 000002
【特許請求の範囲】
【請求項１】
本体を金網等で形成し、底部と前面に空間部分を持ち、本体の後方中心部外側に主軸を設け、主軸に被せ上下に動かす事の出来るカギ部を設けたことを特徴とした、青菜の軸調理器具。
【発明の詳細な説明】
【技術分野】
【０００１】  本発明は、青菜を茹でる際、葉の部分より硬い軸を長く茹でることを可能にした、青菜の軸調理器具である。
【背景技術】
【０００２】  従来、青菜等を茹でる際、長めの箸等で葉の上部を持ったり、厚手のゴム手袋等で持つなどして、青菜の軸部分と葉の部分の茹でる時間を調節していた。
【先行技術文献】
【特許文献】
【０００３】
【特許文献１】特開２０１０−１１０３７６号公報
【発明の概要】
【発明が解決しようとする課題】
【０００４】  そのために次のような問題点があった。
青菜の軸部分のみを葉の部分より長く茹でなければならず、その為青菜を立てた状態で軸部分のみを茹でねばならないが、（特許文献１）の場合、軸のみを茹でるには茹でる度、左右に開いて青菜を出し入れしなければならず手間が掛っていた。
本発明は以上の問題点等を解決するためになされたものである。
【課題を解決するための手段】
【０００５】  本体の底部分が無く、さらに前面を左右に大きく空間を持たせ、背面中央外側に設けた軸に沿って上下に動かす事が可能なカギ部を設ける。
【発明の効果】
【０００６】  本体の底部分が無く、更に前面にも左右に広く空間を持たせた事により青菜等の出し入れが前面から出来る、尚本体をやや後方斜めに倒した状態でカギ部にて鍋壁上部に固定ができ、それにより青菜の重心が後方に移り、前方に倒れるのを防ぐ事ができる。
その後、青菜等の軸部分が茹で上がった頃合いをみて、持ち手を上側に持ち上げる事で後方のカギ部が外れ、青菜全体を鍋内に落すことができる。
それにより青菜全体を茹でることができる。
【発明を実施するための形態】
【０００７】以下、本発明の実施の形態について説明する。
（イ）壁面が金網（２）等で出来、青菜（６）を出し入れし易いように底部及び前面          に広く空間を持たせた本体（１）を設ける。
（ロ）本体（１）の背面外側中心部上下に、本体（１）が青菜（６）の重みで倒れる          のを防ぐ為、鍋上部を挟む為のカギ部（３）が鍋壁の高低に合わせ上下し易い          ように被せた中心軸（４）上下と、持ち手（５）を持たせ、リベット等で本体          背面外側上下に固定する。
（ハ）本発明を使用するときは、本体（１）を鍋内側に入れる。
本発明、青菜の軸調理器具は以上の構成によりなっている。
（ニ）その際、背面中央カギ部（３）を上下に調節し、鍋壁の上縁にカギ部（３）が          掛り、本体（１）が前後にやや斜めに固定するように調節する。
（ホ）青菜の束を本体（１）内に立て掛け、水又は湯を鍋内に入れる。
その際、青菜（６）は前後に傾き、鍋内に倒れることが無い。
（ヘ）青菜の軸が茹であがった頃を見て、持ち手（５）を上に傾け、カギ部（３）を          外し、青菜（６）全体を鍋内に落とし込む事で全体を茹であげる。
以上が、本発明、青菜の軸調理器具の使用方法である。
【図面の簡単な説明】
【０００８】
【図１】本発明の全体の後方からの斜視図。
【図２】本発明の前方からの斜視図。
【図３】本発明の分解図。
【図４】本発明を組み立てた状態の斜視図。
【図５】本発明を鍋内にセットし、青菜を立て掛け、カギ部を鍋の縁に固定した状態の後方からの斜視図。
【図６】本発明を鍋内にセットし、青菜を立て掛け掛けた状態の斜視図。
【符号の説明】
【０００９】    １  本体
２  金網
３  カギ部
４  中心軸
５  持ち手
６  青菜
【図１】
2017018544.tif 000003
【図２】
2017018544.tif 000004
【図３】
2017018544.tif 000005
【図４】
2017018544.tif 000006
【図５】
2017018544.tif 000007
【図６】
2017018544.tif 000008
(57)【要約】      （修正有）【課題】ゴルフ場や練習場においてプレイヤーの打球がどこに到達したのかを表示可能な機器の提供。【解決手段】ＬＥＤライト２の下に動体センサー３を東西南北の４方向に取り付けて、打球からガードするための金属枠１で覆い、この本体を中心に所定距離の範囲をセンサーで感知させ、ＬＥＤライトの点滅等により表示する。【選択図】図１
2017018550.tif 000002
【特許請求の範囲】
【請求項１】
本発明は、ゴルフ場、ゴルフ練習場においてプレイヤーがターゲットとするピンをライトをつけて自分の打球の行方を差し示すものである。
センサー、ＬＥＤライトを金属でおおい障害物を避け強固にして固定するものである。
【請求項２】
本発明において全体の長さは、例えば、５０Ｙ、４０Ｙの距離の短いターゲットとして設置する場合、プレイヤーの打球のはね返りのため短く調整し、長い距離、例えば、１００Ｙ以上などは、その都度そのゴルフ場の条件によって変えるものとする。
【請求項３】
本発明において、センサー、ＬＥＤライトを使用するにあたって、電源を確保という観点から、屋内から電線を引く方法以外に、本発明の機器から電線を安全な打球の当たらない場所にソーラーパネルを設置して電源を確保するやり方。又電池を内蔵してより設置をやりやすくする事も可能である。
【請求項４】
本発明において、ゴルフというスポーツのゲーム性を向上する上で、この機器を、プレイヤーのターゲットのピンと見立て中心として、より近く寄った時、右側に着地した時、左側に着地した時、又は当たった時など、ＬＥＤライトの点滅やイルミネーション、音声で知らせるなど無限に広がり楽しいものにできる。
【発明の詳細な説明】
【技術分野】
【０００１】本発明は、ゴルフ練習場でプレイヤーが練習を楽しく効率良くするものである。
【背景技術】
【０００２】従来のゴルフ練習場では、距離に応じて打球の行方を明確に示すものがなかった。
【発明の概要】
【発明が解決しようとする課題】
【０００３】広い練習場において、プレイヤーが目標とする地点は、ピンを置いたものや、ボードに数字で実数の距離を示したものを置いているだけだった。昼間においては、近距離はわかるが、個人差はあるが遠い距離においては、自分の打球の行方がわからず、まして夜間においては、各ゴルフ練習場の照明が完備はしているが明確に自分の打球の最終到着点を確認する事が難しい所が多い。夜間の練習を避ける人も多く、ゴルフ場の経営にも影響していた。
【課題を解決するための手段】
【０００４】ＬＥＤライト２の下に動体センサ３を付けたものを、金属枠１で覆ってゴルフボールの打撃から守り、全体の長さはそれぞれゴルフ練習場において決める。
【発明の効果】
【０００５】これにより、ゴルフのゲーム性であるピンに寄せるという事が明確になり、練習し安くなるばかりでなく励みにもなり楽しくなる。
特に夜間においてＬＥＤライトで自分の打球の行方を知らせてくれるのは、夜間しか練習できない人々にとって好都合である。景観としても、距離を表すボードと並用しても映える。ゴルフ場の運営としてもいい影響があるし、娯楽性もある。
【図面の簡単な説明】
【０００６】
【図１】本発明の正面図である。
【図２】図１の金属枠の中身の正面図である。
【図３】図２を横から見た図である。
【図４】図２を真上から見た図である。
【図５】図２を真下から見た図である。
【図６】金属枠の断面図である。
【図７】金属枠を真上から見た図である。
【発明を実施するための形態】
【０００７】以下、本発明の実施の形態について説明する。
（イ）ＬＥＤライト２の下に台座を敷きその下にセンサー３を東西南北に付ける。電源の      ために、電線４を付ける。電源については、屋内から引き込むか、ソーラーパネル      も可能であり、電池なども対応できる。
（ロ）金属枠１の中に（イ）を通し固定する。取り外し、メンテナンスのためには、上蓋      ６をネジ７で取り外す。金属枠については、ゴルフボールの衝撃に耐えうる素材に      する。
【符号の説明】
【０００８】１  金属枠
２  ＬＥＤライト
３  センサー
４  電線
５  台座
６  上蓋
７  上蓋取り外しネジ部分
【図１】
2017018550.tif 000003
【図２】
2017018550.tif 000004
【図３】
2017018550.tif 000005
【図４】
2017018550.tif 000006
【図５】
2017018550.tif 000007
【図６】
2017018550.tif 000008
【図７】
2017018550.tif 000009
(57)【要約】      （修正有）【課題】具材に粉を振りかける時、粉が不要に落ちず、具材に直接必要な分だけ掛け、余った粉は元に戻せば粗末にならず、後片付けが簡単な調理用ストレーナ―を提供する。【解決手段】調理用ストレーナーの構造上、金網の上部の縁と取手は一体化している。そこで、取手の一部分をＶ字へ折り曲げ、そこを左右に開いて脚３、４にする。そうすることで、ストレーナー本体は金網の底と脚３、４の３点で支えられ、安定し単独で立てる。又、ストレーナーの金網の手元半分の目を覆い、この部分に粉を入れば粉は下に落ちず、具材に必要な分だけ粉を振りかけられる。【選択図】図４
2017018548.tif 000002
【特許請求の範囲】
【請求項１】
調理用ストレーナーの取手の一部分を脚（３）（４）とし、単独で立たせ、金網の目を半分覆い（２）、粉が不要に落ちないことを特徴とした調理器具。
【発明の詳細な説明】
【技術分野】
【０００１】本発明は、調理用ストレーナーに脚（３）と（４）をつけ、単独で立たせ（図４）又、金網の手元半分の網目を覆い（２）、そこに粉を入れ、粉が不要に落ちないようにした調理器具である。
【発明の概要】
【発明が解決しようとする課題】
【０００２】調理用ストレーナーで具材に粉を振りかける時、ストレーナーを片手でもって粉を入れると、すぐ金網の目から粉が落ちてしまう為、いったん、受け皿にストレーナーを置いて粉を入れるが、ストレーナーの底が丸い為不安定であり、又、受け皿には、不要な粉が落ち、粗末になり、片付ける手間がいる。本発明はこの課題を解決する為になされたものである。
【課題を解決するための手段】
【０００３】調理用ストレーナーの構造上、金網の上部の縁と取手は一体化している（１）ので、取手の一部分をＶ字へ折り曲げ（図２）、その部分を左右に開いて脚（３）と（４）にする（図３）。そうすることで、ストレーナー本体は金網の底と脚（３）と（４）の３点で支え、安定して単独で立てる（図４）。又、粉が不要に落ちないようにする為ストレーナーの金網の手元半分の目を覆う（２）。
【発明の効果】
【０００４】取手の一部をＶ字に折り曲げて左右に開いた（３）と（４）が脚となり、単独で立つ（図４）ことで受皿は必要とせず、又、金網を覆った部分（２）の中に粉を入れるので、粉は不要に落ちず、具材に直接必要な分だけ掛け、余った粉は元に戻せば粗末にならず、後片付けが簡単である。
【発明を実施するための形態】
【０００５】以下、本発明の実施の形態について説明する。調理用ストレーナーの構造上、金網の上部の縁と取手は一体化している（１）ので、取手の一部分をＶ字へ折り曲げ（図２）、左右に開き（図３）脚とする（３）（４）。この脚と金網の底の３点でストレーナーは単独で立つ（図４）。ストレーナーの金網の手元半分の網目を覆う（２）。
【図面の簡単な説明】
【０００６】
【図１】本発明の従来の斜視図である。
【図２】本発明の正面図である。
【図３】本発明の平面図である。
【図４】本発明の斜視図である。
【符号の説明】
【０００７】１    一体化している金網の縁と取手
２    金網の手元半分を覆い粉を入れる部分
３    取手をＶ字に折り曲げ左右に開いて脚になる部分
４    取手をＶ字に折り曲げ左右に開いて脚になる部分
【図１】
2017018548.tif 000003
【図２】
2017018548.tif 000004
【図３】
2017018548.tif 000005
【図４】
2017018548.tif 000006